(57)【要約】      （修正有）【課題】刺激が発生した場合に、ユーザの心的影響を逐次刺激による心的影響と累積刺激による心的影響とに分離して推測し、２つの推測結果に基づいてユーザの心的影響を推定することができるシステムを提供する。【解決手段】心的影響推測システム１０は、逐次刺激が発生した時に第１の報知を行う逐次刺激監視手段２０、累積刺激が発生した時に第２の報知を行う累積刺激監視手段３０、生体情報取得手段４０、生体情報から逐次反応量を抽出する逐次反応抽出手段５０、生体情報から累積反応量を抽出する累積反応抽出手段６０、逐次反応量から逐次刺激に対する心的影響を推測する逐次影響推測手段７０、累積反応量から累積刺激に対する心的影響を推測する累積影響推測手段８０および２つの心的影響に基づいてユーザの心的影響を推定する心的影響推定手段９０を備える。【選択図】図１
2014042722.tif 000002
【特許請求の範囲】
【請求項１】
逐次刺激の発生の有無を監視し、逐次刺激が発生した時に第１の報知を行う逐次刺激監視手段と、
累積刺激の発生の有無を監視し、累積刺激が発生した時に第２の報知を行う累積刺激監視手段と、
ユーザの生体情報を取得する生体情報取得手段と、
前記第１の報知を受信した時に、前記生体情報から逐次反応量を抽出して出力する逐次反応抽出手段と、
前記第２の報知を受信した時に、前記生体情報から累積反応量を抽出して出力する累積反応抽出手段と、
前記逐次反応量に基づいて、逐次刺激に対する心的影響を推測する逐次影響推測手段と、
前記累積反応量に基づいて、累積刺激に対する心的影響を推測する累積影響推測手段と、
前記逐次刺激に対する心的影響および前記累積刺激に対する心的影響に基づいてユーザの心的影響を推定する心的影響推定手段と、
を備える心的影響推測システム。
【請求項２】
前記逐次刺激監視手段は、第１の報知として前記逐次刺激の発生時刻Ｔ１を出力し、
前記累積刺激監視手段は、第２の報知として前記累積刺激の発生時刻Ｔ２を出力し、
前記逐次反応抽出手段は、前記発生時刻Ｔ１を用いて前記生体情報から逐次反応量を抽出し、
前記累積反応抽出手段は、前記発生時刻Ｔ２を用いて前記生体情報から累積反応量を抽出する、
請求項１記載の心的影響推測システム。
【請求項３】
前記逐次刺激監視手段は、第１の報知として発生した逐次刺激の発生内容Ｓ１を出力し、
前記累積刺激監視手段は、第２の報知として発生した累積刺激の発生内容Ｓ２を出力し、
前記逐次影響推測手段は、前記逐次反応量を前記発生内容Ｓ１を用いて重み付けすることによって逐次刺激に対する心的影響を推測し、
前記累積影響推測手段は、前記累積反応量を前記発生内容Ｓ２を用いて重み付けすることによって累積刺激に対する心的影響を推測する、
請求項１または２記載の心的影響推測システム。
【請求項４】
前記逐次刺激に対する心的影響および前記累積刺激に対する心的影響を提示する提示手段と、
前記逐次刺激に対する心的影響および前記累積刺激に対する心的影響に対応するサービスを提供するサービス提供手段と、
をさらに備える、請求項１乃至３のいずれか１項記載の心的影響推測システム。
【請求項５】
前記生体情報は皮膚表面電気活動（ＥＤＡ：Electro-Dermal Activity）情報であり、
前記逐次刺激監視手段は、第１の報知として前記逐次刺激の発生時刻Ｔ１を出力し、
前記累積刺激監視手段は、第２の報知として前記累積刺激の発生時刻Ｔ２を出力し、
前記逐次反応抽出手段は、前記発生時刻Ｔ１から第１期間内のＥＤＡ情報からＥＤＡの変動を抽出して前記逐次反応量として出力し、
前記累積反応抽出手段は、前記出力されたＥＤＡ情報からＥＤＡの変動を抽出し、前回出力した累積反応量に加算して新たな累積反応量として出力し、
前記逐次影響推測手段は、前記ＥＤＡの変動を平滑化処理し、平滑化処理したＥＤＡの変動に基づいて前記逐次刺激に対する心的影響を推測し、
前記累積影響推測手段は、前記ＥＤＡの変動の前記監視開始時からの累積値に基づいて前記累積刺激に対する心的影響を推測する、
請求項１乃至４のいずれか１項記載の心的影響推測システム。
【請求項６】
前記生体情報は心拍数情報であり、
前記逐次刺激監視手段は、第１の報知として前記逐次刺激の発生時刻Ｔ１を出力し、
前記累積刺激監視手段は、第２の報知として前記累積刺激の発生時刻Ｔ２を出力し、
前記逐次反応抽出手段は、前記発生時刻Ｔ１を含む第２期間内の心拍数情報から心拍の変動速度の変化量を抽出して前記逐次反応量として出力し、
前記累積反応抽出手段は、前記発生時刻Ｔ２を含む第３期間内の心拍数情報から心拍の変動速度の変化量を抽出し、前回出力した累積反応量に加算して新たな累積反応量として出力し、
前記逐次影響推測手段は、前記逐次反応量の前記第２期間内の合計値に基づいて前記逐次刺激に対する心的影響を推測し、
前記累積影響推測手段は、前記累積反応量の前記第３期間内の合計値に基づいて前記累積刺激に対する心的影響を推測する、
請求項１乃至４のいずれか１項記載の心的影響推測システム。
【請求項７】
前記生体情報はＥＤＡ情報および心拍数情報であり、
前記逐次刺激監視手段は、第１の報知として前記逐次刺激の発生時刻Ｔ１を出力し、
前記累積刺激監視手段は、第２の報知として前記累積刺激の発生時刻Ｔ２を出力し、
前記逐次反応抽出手段は、前記発生時刻Ｔ１から第１期間内のＥＤＡ情報からＥＤＡの変動を抽出してＥＤＡ逐次反応量として出力するＥＤＡ逐次反応抽出手段および前記発生時刻Ｔ１を含む第２期間内の心拍数情報から心拍の変動速度の変化量を抽出して心拍数逐次反応量として出力する心拍数逐次反応抽出手段を備え、
前記累積反応抽出手段は、前記出力されたＥＤＡ情報からＥＤＡの変動を抽出してＥＤＡ累積反応量として出力するＥＤＡ累積反応抽出手段および前記発生時刻Ｔ２を含む第３期間内の心拍数情報から心拍の変動速度の変化量を抽出して心拍数累積反応量として出力する心拍数累積反応抽出手段を備え、
前記逐次影響推測手段は、前記ＥＤＡの変動を平滑化処理し、平滑化処理したＥＤＡの変動に基づいて逐次刺激に対するＥＤＡ心的影響を推測するＥＤＡ逐次影響推測手段および前記逐次反応量の前記第２期間内の合計値に基づいて逐次刺激に対する心拍数心的影響を推測する心拍数逐次影響推測手段を備え、該逐次刺激に対するＥＤＡ心的影響および逐次刺激に対する心拍数心的影響に基づいて前記逐次刺激に対する心的影響を推測し、
前記累積影響推測手段は、前記ＥＤＡの変動の前記監視開始時からの累積値に基づいて累積刺激に対するＥＤＡ心的影響を推測するＥＤＡ累積影響推測手段および前記累積反応量の前記第３期間内の合計値に基づいて累積刺激に対する心拍数心的影響を推測する心拍数累積影響推測手段を備え、該累積刺激に対するＥＤＡ心的影響および累積刺激に対する心拍数心的影響に基づいて前記累積刺激に対する心的影響を推測する、
請求項１乃至４のいずれか１項記載の心的影響推測システム。
【請求項８】
逐次刺激の発生の有無を監視し、逐次刺激が発生した時に第１の報知を行い、
累積刺激の発生の有無を監視し、累積刺激が発生した時に第２の報知を行い、
ユーザの生体情報を取得して出力し、
前記第１の報知を受信した時に、前記生体情報から逐次反応量を抽出して出力し、
前記第２の報知を受信した時に、前記生体情報から累積反応量を抽出して出力し、
前記逐次反応量に基づいて、逐次刺激に対する心的影響を推測し、
前記累積反応量に基づいて、累積刺激に対する心的影響を推測し、
前記逐次刺激に対する心的影響および前記累積刺激に対する心的影響に基づいてユーザの心的影響を推定する、
心的影響推測方法。
【請求項９】
ユーザの生体情報を取得する生体情報取得手段を備えた装置のコンピュータが実行可能な心的影響推測プログラムであって、
逐次刺激の発生の有無を監視し、逐次刺激が発生した時に第１の報知を行う機能、
累積刺激の発生の有無を監視し、累積刺激が発生した時に第２の報知を行う機能、
前記第１の報知を受信した時に、前記生体情報から逐次反応量を抽出して出力する機能、
前記第２の報知を受信した時に、前記生体情報から累積反応量を抽出して出力する機能、
前記逐次反応量に基づいて、逐次刺激に対する心的影響を推測する機能、
前記累積反応量に基づいて、累積刺激に対する心的影響を推測する機能、
前記逐次刺激に対する心的影響および前記累積刺激に対する心的影響に基づいてユーザの心的影響を推定する機能、
を前記コンピュータに実行させるための心的影響推測プログラム。
【請求項１０】
ユーザの生体情報を取得する生体情報取得手段を備えた装置のコンピュータに、
逐次刺激の発生の有無を監視し、逐次刺激が発生した時に第１の報知を行う手順、
累積刺激の発生の有無を監視し、累積刺激が発生した時に第２の報知を行う手順、
前記第１の報知を受信した時に、前記生体情報から逐次反応量を抽出して出力する手順、
前記第２の報知を受信した時に、前記生体情報から累積反応量を抽出して出力する手順、
前記逐次反応量に基づいて、逐次刺激に対する心的影響を推測する手順、
前記累積反応量に基づいて、累積刺激に対する心的影響を推測する手順、
前記逐次刺激に対する心的影響および前記累積刺激に対する心的影響に基づいてユーザの心的影響を推定する手順、
を実行させるためのプログラムを記録した、前記コンピュータが読み取り可能な記録媒体。
【発明の詳細な説明】
【技術分野】
【０００１】
本発明は、ユーザが受けた刺激によって得た心的影響を推測する心的影響推測システム、心的影響推測方法、心的影響推測プログラムおよび記録媒体に関する。
【背景技術】
【０００２】
刺激が発生した時のユーザの心的影響を推定する心理状態推定装置が種々提案されている。例えば、特許文献１の心理状態推定装置は、被験者の生理的な興奮度と音声興奮度とを比較対照することによって、被験者の心的状態を推定する。また、特許文献２の心理状態推定装置は、運転者個々の生体情報に基づくイライラレベルに、環境要因に対する運転者個々の認知反応を加味することによって、運転者個々のイライラ状態を高精度に推定する。
【０００３】
さらに、刺激が発生した時のユーザの心的影響を推定し、推定結果を用いてユーザに適切なサービスを提供する装置がある。例えば、特許文献３には、通信時のユーザの生体情報からユーザの心理状態を推定した心理状態推定結果を蓄積し、通信相手と新たに通信を開始する時に、蓄積した心理状態推定結果に基づいて「リラックスして話して下さいね」等の提示を行う通信端末が開示されている。
【先行技術文献】
【特許文献】
【０００４】
【特許文献１】特開２００７−２９６１６９号公報
【特許文献２】特開２００８−２１２４９０号公報
【特許文献３】特開２００５−２４４３７５号公報
【発明の概要】
【発明が解決しようとする課題】
【０００５】
しかし、特許文献３の通信端末の場合、通信時の環境等を考慮することなく推定したユーザの心理状態を、心理状態推定結果として一律に蓄積するため、通信時の環境等が変化する場合はユーザに適切なサービスを提供することが困難である。
【０００６】
ここで、環境等の変化を考慮してユーザの心理状態を推定する方法の一つに、至近期間に受けた刺激から発生した逐次刺激による心的影響と、長期間にわたって継続的に受けた累積刺激から発生した累積刺激による心的影響とを考慮する方法がある。
【０００７】
本発明の目的は、上記の課題に鑑みなされたものであり、刺激が発生した場合に、ユーザの心理状態を逐次刺激による心的影響と累積刺激による心的影響とに分離して推測し、２つの推測結果に基づいてユーザの心理状態を推定する心的影響推測システム、心的影響推測方法、心的影響推測プログラムおよび記録媒体を提供することにある。
【課題を解決するための手段】
【０００８】
上記目的を達成するために本発明に係る心的影響推測システムは、逐次刺激の発生の有無を監視し、逐次刺激が発生した時に第１の報知を行う逐次刺激監視手段と、累積刺激の発生の有無を監視し、累積刺激が発生した時に第２の報知を行う累積刺激監視手段と、ユーザの生体情報を取得する生体情報取得手段と、第１の報知を受信した時に、生体情報から逐次反応量を抽出して出力する逐次反応抽出手段と、第２の報知を受信した時に、生体情報から累積反応量を抽出して出力する累積反応抽出手段と、逐次反応量に基づいて、逐次刺激に対する心的影響を推測する逐次影響推測手段と、累積反応量に基づいて、累積刺激に対する心的影響を推測する累積影響推測手段と、逐次刺激に対する心的影響および累積刺激に対する心的影響に基づいてユーザの心的影響を推定する心的影響推定手段と、を備える。
【０００９】
上記目的を達成するために本発明に係る心的影響推測方法は、逐次刺激の発生の有無を監視し、逐次刺激が発生した時に第１の報知を行い、累積刺激の発生の有無を監視し、累積刺激が発生した時に第２の報知を行い、ユーザの生体情報を取得して出力し、第１の報知を受信した時に、生体情報から逐次反応量を抽出して出力し、第２の報知を受信した時に、生体情報から累積反応量を抽出して出力し、逐次反応量に基づいて、逐次刺激に対する心的影響を推測し、累積反応量に基づいて、累積刺激に対する心的影響を推測し、逐次刺激に対する心的影響および累積刺激に対する心的影響に基づいてユーザの心的影響を推定する。
【００１０】
上記目的を達成するために本発明に係る心的影響推測プログラムは、ユーザの生体情報を取得する生体情報取得手段を備えた装置のコンピュータが実行可能な心的影響推測プログラムであって、逐次刺激の発生の有無を監視し、逐次刺激が発生した時に第１の報知を行う機能、累積刺激の発生の有無を監視し、累積刺激が発生した時に第２の報知を行う機能、第１の報知を受信した時に、生体情報から逐次反応量を抽出して出力する機能、第２の報知を受信した時に、生体情報から累積反応量を抽出して出力する機能、逐次反応量に基づいて、逐次刺激に対する心的影響を推測する機能、累積反応量に基づいて、累積刺激に対する心的影響を推測する機能、逐次刺激に対する心的影響および累積刺激に対する心的影響に基づいてユーザの心的影響を推定する機能、をコンピュータに実行させる。
【００１１】
上記目的を達成するために本発明に係る記録媒体は、ユーザの生体情報を取得する生体情報取得手段を備えた装置のコンピュータに、逐次刺激の発生の有無を監視し、逐次刺激が発生した時に第１の報知を行う手順、累積刺激の発生の有無を監視し、累積刺激が発生した時に第２の報知を行う手順、第１の報知を受信した時に、生体情報から逐次反応量を抽出して出力する手順、第２の報知を受信した時に、生体情報から累積反応量を抽出して出力する手順、逐次反応量に基づいて、逐次刺激に対する心的影響を推測する手順、累積反応量に基づいて、累積刺激に対する心的影響を推測する手順、逐次刺激に対する心的影響および累積刺激に対する心的影響に基づいてユーザの心的影響を推定する手順、を実行させるためのプログラムを記録した、コンピュータが読み取り可能な記録媒体。
【発明の効果】
【００１２】
本発明に係る心的影響推測システム、心的影響推測方法、心的影響推測プログラムおよび記録媒体は、刺激が発生した場合に、ユーザの心的影響を逐次刺激による心的影響と累積刺激による心的影響とに分離して推測し、２つの推測結果に基づいてユーザの心的影響を推定することができる。
【図面の簡単な説明】
【００１３】
【図１】本発明の第１の実施形態に係る心的影響推測システム１０のシステム構成図である。
【図２】本発明の第１の実施形態に係る心的影響推測システム１０の動作フロー図である。
【図３】本発明の第２の実施形態に係る心的影響推測システム１００のシステム構成図である。
【図４】本発明の第２の実施形態に係る別の心的影響推測システム１００Ｂのシステム構成図である。
【図５】本発明の第２の実施形態に係る別の心的影響推測システム１００Ｃのシステム構成図である。
【発明を実施するための形態】
【００１４】
（第１の実施形態）
第１の実施形態に係る心的影響推測システムについて説明する。本実施形態に係る心的影響推測システムのシステム構成図を図１に示す。図１において、本実施形態に係る心的影響推測システム１０は、逐次刺激監視手段２０、累積刺激監視手段３０、生体情報取得手段４０、逐次反応抽出手段５０、累積反応抽出手段６０、逐次影響推測手段７０、累積影響推測手段８０および心的影響推定手段９０を備える。
【００１５】
逐次刺激監視手段２０は、逐次刺激の発生の有無を監視し、逐次刺激が発生した時に第１の報知を行う。本実施形態において、逐次刺激監視手段２０は、第１の報知として、逐次刺激が発生した時に逐次刺激の発生時刻Ｔ１および発生した逐次刺激の発生内容Ｓ１を出力する。
【００１６】
累積刺激監視手段３０は、累積刺激の発生の有無を監視し、累積刺激が発生した時に第２の報知を行う。本実施形態において、累積刺激監視手段３０は、第２の報知として、累積刺激が発生した時に累積刺激の発生時刻Ｔ２および発生した累積刺激の発生内容Ｓ２を出力する。
【００１７】
生体情報取得手段４０は、ユーザの生体情報を取得して出力する。本実施形態において、生体情報取得手段４０は、生体情報として、例えば、皮膚表面電気活動（ＥＤＡ：Electro-Dermal Activity）情報や心拍数情報を取得する。
【００１８】
逐次反応抽出手段５０は、逐次刺激監視手段２０から第１の報知を受信した時、生体情報取得手段４０から出力された生体情報から逐次反応量を抽出して出力する。例えば、生体情報がＥＤＡ情報の場合、逐次反応抽出手段５０は、逐次刺激監視手段２０から出力された発生時刻Ｔ１から所定期間内のＥＤＡ情報を抜き出し、抜き出したＥＤＡ情報からバンドパスフィルタを用いて所定周波数範囲内のＥＤＡ変動を抽出し、逐次反応量として出力する。また、逐次反応抽出手段５０は、所定周波数範囲内のＥＤＡ変動からＥＤＡの変動の正負が逐次刺激監視手段２０から出力された発生内容Ｓ１の正負と一致するＥＤＡ変動を抽出し、逐次反応量として出力することもできる。一方、生体情報が心拍数情報の場合、逐次反応抽出手段５０は、発生時刻Ｔ１を含む第２期間内の心拍数情報からパワースペクトラムまたはウェーブレット変換手法を用いて所定周波数以上の心拍の変動速度の変化量を抽出し、逐次反応量として出力する。
【００１９】
累積反応抽出手段６０は、累積刺激監視手段３０から第２の報知を受信した時、生体情報取得手段４０から出力された生体情報から累積反応量を抽出して出力する。例えば、生体情報がＥＤＡ情報の場合、累積反応抽出手段６０は、ＥＤＡ情報からローパスフィルタを用いて所定周波数以下のＥＤＡの変動を抽出し、前回出力した累積反応量に加算して新たな累積反応量として出力する。さらに、累積反応抽出手段６０は、所定周波数以下のＥＤＡ変動からＥＤＡの変動の正負が累積刺激監視手段３０から出力された発生内容Ｓ２の正負と一致するＥＤＡ変動を抽出し、累積反応量として出力することもできる。一方、生体情報が心拍数情報の場合、累積反応抽出手段６０は、累積刺激監視手段３０から出力された発生時刻Ｔ２を含む第３期間内の心拍数情報からパワースペクトラムまたはウェーブレット変換手法を用いて所定周波数範囲内の心拍の変動速度の変化量を抽出し、前回出力した累積反応量に加算して新たな累積反応量として出力する。
【００２０】
逐次影響推測手段７０は、逐次反応抽出手段５０から出力された逐次反応量に基づいて、逐次刺激に対する心的影響を推測する。本実施形態において、逐次影響推測手段７０は、逐次反応抽出手段５０から出力された逐次反応量を逐次刺激監視手段２０から出力された発生内容Ｓ１を用いて重み付けすることによって逐次刺激に対する心的影響を推測する。
【００２１】
例えば、生体情報がＥＤＡ情報の場合、逐次影響推測手段７０は、抽出したＥＤＡの変動（逐次反応量）を平滑化処理し、平滑化処理したＥＤＡの変動に基づいて逐次刺激に対する心的影響を推測する。一方、生体情報が心拍数情報の場合、逐次影響推測手段７０は、抽出した心拍の変動速度の変化量（逐次反応量）の所定期間内の合計値に基づいて逐次刺激に対する心的影響を推測する。
【００２２】
累積影響推測手段８０は、累積反応抽出手段６０から出力された累積反応量に基づいて、累積刺激に対する心的影響を推測する。本実施形態において、累積影響推測手段８０は、累積反応抽出手段６０から出力された累積反応量を累積刺激監視手段３０から出力された発生内容Ｓ２を用いて重み付けすることによって累積刺激に対する心的影響を推測する。
【００２３】
例えば、生体情報がＥＤＡ情報の場合、累積影響推測手段８０は、ＥＤＡの変動（累積反応量）の監視開始時からの累積値に基づいて累積刺激に対する心的影響を推測する。一方、生体情報が心拍数情報の場合、累積影響推測手段８０は、抽出した心拍の変動速度の変化量（累積反応量）の所定期間内の合計値に基づいて累積刺激に対する心的影響を推測する。
【００２４】
心的影響推定手段９０は、逐次影響推測手段７０から出力された逐次刺激に対する心的影響と、累積影響推測手段８０から出力された累積刺激に対する心的影響と、に基づいてユーザの心的影響を推定する。ここで、心的影響推定手段９０は、逐次刺激に対する心的影響、累積刺激に対する心的影響、および、それらに基づいて推定した心的影響をそれぞれ提示することもできるし、心的影響の推定結果に基づいてユーザに適切なサービスを提供することもできる。
【００２５】
上記のように構成された心的影響推測システム１０の動作手順について説明する。本実施形態に係る心的影響推測システム１０の動作フローを図２に示す。図２に示すように、生体情報取得手段４０は、ユーザのＥＤＡ情報や心拍数情報等の生体情報を取得して出力している（Ｓ１０１）。
【００２６】
そして、刺激が発生した場合（Ｓ１０２のＹＥＳ）、発生した刺激が逐次刺激または／および累積刺激に該当するか否か判定する（Ｓ１０３）。なお、発生した刺激が逐次刺激と累積刺激の両方に該当する場合もあるし、どちらか一方にしか該当しない場合もある。
【００２７】
発生した刺激が逐次刺激に該当する場合（Ｓ１０３の逐次）、逐次刺激監視手段２０は第１の報知として、逐次刺激の発生時刻Ｔ１および発生した逐次刺激の発生内容Ｓ１を出力する（Ｓ１０４Ａ）。一方、発生した刺激が累積刺激に該当する場合（Ｓ１０３の累積）、累積刺激監視手段３０は第２の報知として、累積刺激の発生時刻Ｔ２および発生した累積刺激の発生内容Ｓ２を出力する（Ｓ１０４Ｂ）。
【００２８】
逐次反応抽出手段５０は、発生時刻Ｔ１および発生内容Ｓ１を受信した場合、生体情報から逐次反応量を抽出して出力する（Ｓ１０５Ａ）。一方、累積反応抽出手段６０は、発生時刻Ｔ２および発生内容Ｓ２を受信した場合、生体情報から累積反応量を抽出して出力する（Ｓ１０５Ｂ）。
【００２９】
逐次影響推測手段７０は、逐次反応量を受信した場合、例えば、受信した逐次反応量を発生内容Ｓ１を用いて重み付けすることによって逐次刺激に対する心的影響を推測する（Ｓ１０６Ａ）。一方、累積影響推測手段８０は、累積反応量を受信した場合、例えば、受信した累積反応量を発生内容Ｓ２を用いて重み付けすることによって累積次刺激に対する心的影響を推測する（Ｓ１０６Ｂ）。なお、Ｓ１０４Ａ〜Ｓ１０６Ａと、Ｓ１０４Ｂ〜Ｓ１０６Ｂとは、独立して動作する。
【００３０】
さらに、心的影響推定手段９０は、逐次刺激に対する心的影響と累積刺激に対する心的影響とに基づいて、ユーザの心的影響を推定する（Ｓ１０７）。
【００３１】
さらに、心的影響推定手段９０は、逐次刺激によって優位な心的影響を受けやすいユーザには変動の大きい刺激を与え、累積次刺激によって優位な心的影響を受けやすいユーザには長期に亘って緩やかに変動する刺激を与えることができる。
【００３２】
上述のように、本実施形態に係る心的影響推測システム１０は、刺激が発生した場合に、逐次刺激監視手段２０および累積刺激監視手段３０が、逐次刺激の発生または／および累積刺激の発生に該当するか否か判定する。逐次刺激または／および累積刺激に分類された刺激は、それぞれ独立にユーザの生体情報と比較されることによって独立に分析され、ユーザへの心的影響を逐次刺激による心的影響と累積刺激による心的影響とに分離して推定する。
【００３３】
従って、本実施形態に係る心的影響推測システム１０は、逐次刺激による心的影響と累積刺激による心的影響とに分離してそれぞれ独立に推測し、２つの推測結果に基づいて推定することにより、発生した刺激がユーザに与える心的影響を高精度に推定することができる。
【００３４】
（第２の実施形態）
第２の実施形態について説明する。ユーザが行うインタラクションやタスクの結果には、至近期間の間にユーザがインタラクションやタスクから得た結果である逐次結果と、長期間にわたりユーザがインタラクションやタスクから得た複数の結果の累積である累積結果の２種類がある。人間には逐次結果に大きく反応するタイプと累積結果に大きく反応するタイプがある。本実施形態に係る心的影響推測システムは、ユーザが逐次結果重視タイプか累積結果重視タイプかを判定し、判定したタイプに応じたサービスを提供する。
【００３５】
本実施形態に係る心的影響推測システム１００のブロック構成図を図３に示す。図３において、本実施形態に係る心的影響推測システム１００は、逐次結果取得手段２１０、累積結果取得手段２２０、ＥＤＡセンサ３１０、心拍センサ３２０、逐次ＥＤＡ反応抽出手段４１０、逐次心拍反応抽出手段４２０、累積ＥＤＡ反応抽出手段４３０、累積心拍反応抽出手段４４０、逐次結果心的影響推測手段５１０、累積結果心的影響推測手段５２０および心的影響出力手段６１０を備える。
【００３６】
逐次結果取得手段２１０は、ユーザの心理状態に影響を与える環境的な逐次変化を観測し、逐次変化の観測結果を逐次ＥＤＡ反応抽出手段４１０および逐次心拍反応抽出手段４２０へ出力する。本実施形態において、逐次結果取得手段２１０はカメラなどの画像取得手段を備え、ユーザの心理状態に影響を与える環境的な逐次変化を検知した時、逐次変化が発生したタイミングを「逐次結果の発生タイミング」として、逐次変化の内容を「逐次結果」として、逐次ＥＤＡ反応抽出手段４１０および逐次心拍反応抽出手段４２０へ出力する。
【００３７】
累積結果取得手段２２０は、ユーザの心理状態に影響を与える環境的な経時変化を観測し、経時変化の観測結果を累積ＥＤＡ反応抽出手段４３０および累積心拍反応抽出手段４４０へ出力する。本実施形態において、累積結果取得手段２２０はカメラなどの画像取得手段を備え、ユーザの心理状態に影響を与える環境的な経時変化を検知した時、経時変化が発生したタイミングを「累積結果が変化したタイミング」として、経時変化の内容を「累積結果」として、累積ＥＤＡ反応抽出手段４３０および累積心拍反応抽出手段４４０へ出力する。
【００３８】
ＥＤＡセンサ３１０は、ユーザの皮膚表面電気活動（ＥＤＡ）を取得し、「ＥＤＡ情報」として逐次ＥＤＡ反応抽出手段４１０および累積ＥＤＡ反応抽出手段４３０へ出力する。
【００３９】
心拍センサ３２０は、ユーザの心拍数を取得し、「心拍情報」として逐次心拍反応抽出手段４２０および累積心拍反応抽出手段４４０へ出力する。
【００４０】
逐次ＥＤＡ反応抽出手段４１０は、逐次結果取得手段２１０から入力した「逐次結果の発生タイミング」および「逐次結果」と、ＥＤＡセンサ３１０から入力した「ＥＤＡ情報」と、に基づいて「逐次結果に対するＥＤＡ反応」を抽出し、逐次結果心的影響推測手段５１０へ出力する。本実施形態において、逐次ＥＤＡ反応抽出手段４１０は、逐次結果等が入力した場合、逐次結果の発生タイミングから一定期間内のＥＤＡ情報について、バンドパスフィルタ等を用いて所定周波数範囲内のＥＤＡ変動を抽出する。逐次ＥＤＡ反応抽出手段４１０はさらに、抽出したＥＤＡ変動を平滑化処理した後、「逐次結果に対するＥＤＡ反応」として逐次結果心的影響推測手段５１０へ出力する。
【００４１】
逐次心拍反応抽出手段４２０は、逐次結果取得手段２１０から入力した「逐次結果の発生タイミング」および「逐次結果」と、心拍センサ３２０から入力した「心拍情報」と、に基づいて「逐次結果に対する心拍反応」を抽出し、逐次結果心的影響推測手段５１０へ出力する。本実施形態において、逐次心拍反応抽出手段４２０は心拍情報を一定期間毎に解析している。そして、逐次心拍反応抽出手段４２０は、逐次結果等が入力した場合、逐次結果の発生タイミングが含まれる期間の心拍情報について、所定周波数以上の心拍の変動速度の変化量を抽出する。そして、逐次心拍反応抽出手段４２０は、抽出した心拍の変動速度の変化量の総量を「逐次結果に対する心拍反応」として逐次結果心的影響推測手段５１０へ出力する。
【００４２】
累積ＥＤＡ反応抽出手段４３０は、累積結果取得手段２２０から入力した「累積結果が変化したタイミング」および「累積結果」と、ＥＤＡセンサ３１０から入力した「ＥＤＡ情報」と、に基づいて「累積結果に対するＥＤＡ反応」を抽出し、累積結果心的影響推測手段５２０へ出力する。本実施形態において、累積ＥＤＡ反応抽出手段４３０は、累積結果等が入力した場合、ローパスフィルタ等を用いてＥＤＡ情報から所定周波数以下のＥＤＡ変動を抽出する。累積ＥＤＡ反応抽出手段４３０は、前回取得した「累積結果に対するＥＤＡ反応」に、新たに抽出したＥＤＡ変動を加算し、新たな「累積結果に対するＥＤＡ反応」として累積結果心的影響推測手段５２０へ出力する。
【００４３】
累積心拍反応抽出手段４４０は、累積結果取得手段２２０から入力した「累積結果が変化したタイミング」および「累積結果」と、心拍センサ３２０から入力した「心拍情報」と、に基づいて「累積結果に対する心拍反応」を抽出し、累積結果心的影響推測手段５２０へ出力する。本実施形態において、累積心拍反応抽出手段４４０は心拍情報を一定期間毎に解析している。そして、累積心拍反応抽出手段４４０は、累積結果等が入力した場合、累積結果が変化したタイミングが含まれる期間の心拍情報について、所定周波数範囲内における心拍の変動速度の変化量を抽出する。累積心拍反応抽出手段４４０は、前回取得した「累積結果に対する心拍反応」に、新たに抽出した心拍の変動速度の変化量を加算し、新たな「累積結果に対する心拍反応」として累積結果心的影響推測手段５２０へ出力する。
【００４４】
逐次結果心的影響推測手段５１０は、逐次ＥＤＡ反応抽出手段４１０から入力した「逐次結果に対するＥＤＡ反応」および逐次心拍反応抽出手段４２０から入力した「逐次結果に対する心拍反応」に基づいて「逐次結果による心的影響の大きさ」を推測し、心的影響出力手段６１０へ出力する。本実施形態において、逐次結果心的影響推測手段５１０は、「逐次結果に対するＥＤＡ反応」のタスク開始以降の総和と、「逐次結果に対する心拍反応」のタスク開始以降の総和と、をそれぞれ算出し、算出結果の重み付け和を「逐次結果による心的影響の大きさ」とする。
【００４５】
累積結果心的影響推測手段５２０は、累積ＥＤＡ反応抽出手段４３０から入力した「累積結果に対するＥＤＡ反応」および累積心拍反応抽出手段４４０から入力した「累積結果に対する心拍反応」に基づいて「累積結果による心的影響の大きさ」を推測し、心的影響出力手段６１０へ出力する。本実施形態において、累積結果心的影響推測手段５２０は、「累積結果に対するＥＤＡ反応」のタスク開始以降の大きさと、「累積結果に対する心拍反応」のタスク開始以降の大きさと、をそれぞれ算出し、算出結果の重み付け和を「累積結果による心的影響の大きさ」とする。
【００４６】
心的影響出力手段６１０は、逐次結果心的影響推測手段５１０から受信した「逐次結果による心的影響の大きさ」の推測結果と、累積結果心的影響推測手段５２０から受信した「累積結果による心的影響の大きさ」の推測結果とを、図示しない表示手段等に出力する。さらに、本実施形態において、心的影響出力手段６１０は、「逐次結果による心的影響の大きさ」の推測結果と「累積結果による心的影響の大きさ」の推測結果とに基づいてユーザが逐次結果重視タイプか累積結果重視タイプか判定し、ユーザのタイプに基づいて、ユーザに最適なサービスを行う。
【００４７】
ここで、逐次結果取得手段２１０、累積結果取得手段２２０、ＥＤＡセンサ３１０および心拍センサ３２０は独立に機能し、同時に動作することができる。また、逐次ＥＤＡ反応抽出手段４１０、逐次心拍反応抽出手段４２０、累積ＥＤＡ反応抽出手段４３０および累積心拍反応抽出手段４４０は独立に機能し、同時に動作することができる。さらに、逐次結果心的影響推測手段５１０および累積結果心的影響推測手段５２０は独立に機能し、同時に動作することができる。
【００４８】
上記のように構成された心的影響推測システム１００は、４つの抽出手段４１０−４４０が、逐次結果および累積結果に対応するＥＤＡ反応および心拍反応を独立に抽出し、２つの推測手段５１０−５２０が、抽出結果に基づいて逐次結果と累積結果に対応するユーザへの心的影響を独立に推測する。従って、本実施形態に係る心的影響推測システム１００は、環境変化に起因するユーザの心的反応を、逐次結果に対する心的反応と累積結果に対する心的反応とに分離して、分析することができる。
【００４９】
なお、上記の実施形態では、逐次結果および累積結果に対するユーザのＥＤＡ反応と心拍反応とを取得したが、ＥＤＡ反応または心拍反応の一方を用いてユーザの心的反応を分析することもできる。ＥＤＡ反応のみを用いる場合の心的影響推測システム１００Ｂのブロック構成図を図４に、心拍反応のみを用いる場合の心的影響推測システム１００Ｃのブロック構成図を図５に示す。
【００５０】
図４に示した心的影響推測システム１００Ｂにおいて、逐次結果心的影響推測手段５１０Ｂは、逐次ＥＤＡ反応抽出手段４１０Ｂから入力した「逐次結果に対するＥＤＡ反応」に基づいて「逐次結果による心的影響の大きさ」を推測する。一方、累積結果心的影響推測手段５２０Ｂは、累積ＥＤＡ反応抽出手段４３０Ｂから入力した「累積結果に対するＥＤＡ反応」から「累積結果による心的影響の大きさ」を推測する。そして、心的影響出力手段６１０Ｂは、逐次結果心的影響推測手段５１０Ｂから入力した「逐次結果による心的影響の大きさ」および累積結果心的影響推測手段５２０Ｂから入力した「累積結果による心的影響の大きさ」を推測結果として外部に出力する。
【００５１】
一方、図５に示した心的影響推測システム１００Ｃにおいて、逐次結果心的影響推測手段５１０Ｃは、逐次心拍反応抽出手段４２０Ｃから入力した「逐次結果に対する心拍反応」に基づいて「逐次結果による心的影響の大きさ」を推測する。一方、累積結果心的影響推測手段５２０Ｃは、累積心拍反応抽出手段４４０Ｃから入力した「累積結果に対する心拍反応」に基づいて「累積結果による心的影響の大きさ」を推測する。そして、心的影響出力手段６１０Ｃは、逐次結果心的影響推測手段５１０Ｃから入力した「逐次結果による心的影響の大きさ」および累積結果心的影響推測手段５２０Ｃから入力した「累積結果による心的影響の大きさ」を推測結果として外部に出力する。
【００５２】
図４および図５に示した心的影響推測システム１００Ｂ、１００Ｃも、図３に示した心的影響推測システム１００と同様に、逐次結果および累積結果に対応する生体反応を対応する手段で独立に取得し、それに基づいて逐次結果および累積結果に対応する心的影響をそれぞれ独立に分析する。すなわち、図４および図５に示した心的影響推測システム１００Ｂ、１００Ｃも、環境変化に起因するユーザの心的反応を、逐次結果に対する心的反応と累積結果に対する心的反応とに分離して、分析することができる。
【００５３】
（第３の実施形態）
第３の実施形態について説明する。本実施形態では、第２の実施形態で説明した心的影響推測システム１００を報酬付きのトランプゲームに適用する場合について説明する。本実施形態に係る心的影響推測システム１００は、ゲーム進行中に逐次結果に対する心的反応と累積結果に対する心的反応を分離して分析し、ユーザの好みに合わせてゲームの内容を逐次結果強調型または累積結果強調型に調整する。
【００５４】
本実施形態において、報酬付きのトランプゲームは、山札の１番上のカードの数字が７より大きいか小さいかを当てるＨｉｇｈ＆Ｌｏｗゲームである。予め、山札から７の札とジョーカーの札は取り除かれている。そして、プレーヤーは、山札をめくる前に、山札の１番上のカードが７より大きいか小さいかを宣言する。プレーヤーがカードをめくった時にプレーヤーの予想が当たっていれば、「めくったカード（山札の１番上のカード）の数値と７との差の絶対値」が得点として加算される。一方、予想が外れていれば得点は加算も減算もされない。そして、上記を２０回繰り返した時点で、最も多い得点を有するプレーヤーが勝者となる。
【００５５】
上述の報酬付きのトランプゲームに、図３に示した心的影響推測システム１００を適用する場合、各手段は以下のように機能する。
【００５６】
逐次結果取得手段２１０は、カメラなどの画像取得手段を備え、プレーヤーがカードを山札からめくる毎に、カードをめくったタイミングを「逐次結果の発生タイミング」として逐次ＥＤＡ反応抽出手段４１０および逐次心拍反応抽出手段４２０へ出力する。さらに、逐次結果取得手段２１０は、プレーヤーがその回で得た得点を「逐次結果」として逐次ＥＤＡ反応抽出手段４１０および逐次心拍反応抽出手段４２０へ出力する。
【００５７】
累積結果取得手段２２０は、カメラなどの画像取得手段を備え、プレーヤーがカードを山札からめくる毎に、カードをめくったタイミングを「累積結果が変化したタイミング」として累積ＥＤＡ反応抽出手段４３０および累積心拍反応抽出手段４４０へ出力する。さらに、累積結果取得手段２２０は、プレーヤーのその時点での合計得点を「累積結果」として累積ＥＤＡ反応抽出手段４３０および累積心拍反応抽出手段４４０へ出力する。
【００５８】
ＥＤＡセンサ３１０は、ゲームのプレー中に所定の間隔でプレーヤーの皮膚表面電気活動(ＥＤＡ)を計測し、計測したＥＤＡの計測値を「ＥＤＡ情報」として逐次ＥＤＡ反応抽出手段４１０および累積ＥＤＡ反応抽出手段４３０へ出力する。
【００５９】
心拍センサ３２０は、ゲームのプレー中に所定の間隔でプレーヤーの心拍数を計測し、計測した心拍数の計測値を「心拍情報」として逐次心拍反応抽出手段４２０および累積心拍反応抽出手段４４０へ出力する。
【００６０】
逐次ＥＤＡ反応抽出手段４１０は、逐次結果取得手段２１０から入力した「逐次結果の発生タイミング」および「逐次結果」と、ＥＤＡセンサ３１０から入力した「ＥＤＡ情報」と、に基づいて「逐次結果に対するＥＤＡ反応」を抽出し、逐次結果心的影響推測手段５１０へ出力する。
【００６１】
本実施形態において、逐次ＥＤＡ反応抽出手段４１０は、逐次結果等が入力した場合、逐次結果の発生タイミングから一定期間（例えば５秒）以内に発生したＥＤＡ情報を抜き出し、バンドパスフィルタを用いて抜き出したＥＤＡ情報から所定周波数範囲内のＥＤＡ変動（例えば０．０３２〜１５Ｈｚ）を抽出する。逐次ＥＤＡ反応抽出手段４１０はさらに、抽出したＥＤＡ変動について、一定量以下（例えば、５μジーメンス）の変動を「変動量０」、一定量以上（例えば、５０μジーメンス以上）の変動を一定値（例えば、５０μジーメンス）と扱うことによって抽出したＥＤＡ変動を平滑化処理し、「逐次結果に対するＥＤＡ反応」として逐次結果心的影響推測手段５１０へ出力する。
【００６２】
逐次心拍反応抽出手段４２０は、逐次結果取得手段２１０から入力した「逐次結果の発生タイミング」および「逐次結果」と、心拍センサ３２０から入力した「心拍情報」と、に基づいて「逐次結果に対する心拍反応」を抽出し、逐次結果心的影響推測手段５１０へ出力する。
【００６３】
本実施形態において、逐次心拍反応抽出手段４２０は、パワースペクトラムを用いて心拍情報を一定期間毎（例えば、１分間毎）に解析している。そして、逐次心拍反応抽出手段４２０は、逐次結果等が入力した場合、逐次結果の発生タイミングが含まれる期間の心拍情報について、高周波数域の心拍の変動速度の変化量（例えば、０．１５Ｈｚ以上）を抽出する。そして、逐次心拍反応抽出手段４２０は、抽出した心拍の変動速度の変化量の総量を、「逐次結果に対する心拍反応」として逐次結果心的影響推測手段５１０へ出力する。
【００６４】
累積ＥＤＡ反応抽出手段４３０は、累積結果取得手段２２０から入力した「累積結果が変化したタイミング」および「累積結果」と、ＥＤＡセンサ３１０から入力した「ＥＤＡ情報」と、に基づいて「累積結果に対するＥＤＡ反応」を抽出し、累積結果心的影響推測手段５２０へ出力する。
【００６５】
本実施形態において、累積ＥＤＡ反応抽出手段４３０は、累積結果等が入力した場合、ローパスフィルタ等を用いてＥＤＡ情報から低周波数域のＥＤＡ変動（例えば、０．０３２Ｈｚ以下）を抽出する。累積ＥＤＡ反応抽出手段４３０は、前回取得した「累積結果に対するＥＤＡ反応」に、新たに抽出したＥＤＡ変動を加算し、新たな「累積結果に対するＥＤＡ反応」として累積結果心的影響推測手段５２０へ出力する。
累積心拍反応抽出手段４４０は、累積結果取得手段２２０から入力した「累積結果が変化したタイミング」および「累積結果」と、心拍センサ３２０から入力した「心拍情報」と、に基づいて「累積結果に対する心拍反応」を抽出し、累積結果心的影響推測手段５２０へ出力する。
【００６６】
本実施形態において、累積心拍反応抽出手段４４０は、パワースペクトラムを用いて心拍情報を一定期間毎（例えば、１分間毎）に解析している。そして、累積心拍反応抽出手段４４０は、累積結果等が入力した場合、累積結果が変化したタイミングが含まれる期間の心拍情報について、所定周波数範囲内の心拍の変動速度の変化量（例えば、０．０４〜０．１５Ｈｚ）を抽出する。累積心拍反応抽出手段４４０は、前回取得した「累積結果に対する心拍反応」に、新たに抽出した心拍の変動速度の変化量を加算し、新たな「累積結果に対する心拍反応」として累積結果心的影響推測手段５２０へ出力する。
【００６７】
逐次結果心的影響推測手段５１０は、逐次ＥＤＡ反応抽出手段４１０から入力した「逐次結果に対するＥＤＡ反応」および逐次心拍反応抽出手段４２０から入力した「逐次結果に対する心拍反応」に基づいて「逐次結果による心的影響の大きさ」を推測し、心的影響出力手段６１０へ出力する。
【００６８】
本実施形態において、逐次結果心的影響推測手段５１０は、「逐次結果に対するＥＤＡ反応」のタスク開始以降の総和および「逐次結果に対する心拍反応」のタスク開始以降の総和をそれぞれ算出し、算出結果の重み付け和を「逐次結果による心的影響の大きさ」とする。
【００６９】
累積結果心的影響推測手段５２０は、累積ＥＤＡ反応抽出手段４３０から入力した「累積結果に対するＥＤＡ反応」および累積心拍反応抽出手段４４０から入力した「累積結果に対する心拍反応」に基づいて「累積結果による心的影響の大きさ」を推測し、心的影響出力手段６１０へ出力する。
【００７０】
本実施形態において、累積結果心的影響推測手段５２０は、「累積結果に対するＥＤＡ反応」のタスク開始以降の大きさと、「累積結果に対する心拍反応」のタスク開始以降の大きさと、をそれぞれ算出し、算出結果の重み付け和を「累積結果による心的影響の大きさ」とする。
【００７１】
心的影響出力手段６１０は、逐次結果心的影響推測手段５１０から入力した「逐次結果による心的影響の大きさ」および累積結果心的影響推測手段５２０から入力した「累積結果による心的影響の大きさ」を、ディスプレイ等に出力する。
【００７２】
上記のように、本実施形態に係る心的影響推測システム１００は、プレーヤーの生体情報（ＥＤＡ情報および心拍情報）およびプレーヤーが受けた刺激（逐次結果および累積結果）を独立に取得して、プレーヤーが刺激から受けた逐次結果に対する心的影響および累積結果に対する心的影響を推測する。本実施形態に係る心的影響推測システム１００は、プレーヤーが受けた刺激を逐次的な要素と累積的な要素とに分離し、それぞれに対応するプレーヤーの生体情報を分析することによって、プレーヤーの逐次結果に対する心的影響と累積結果に対する心的影響とを的確に把握することができる。
【００７３】
本実施形態に係る心的影響推測システム１００は、ユーザの逐次結果に対する心的影響と累積結果に対する心的影響とを的確に把握することにより、逐次結果を強調したタスク（例えば、１回ごとに大きな加点または大きな減点が与えられうるギャンブル性の高いゲーム）と、累積結果を強調したタスク（例えば、１回ごとには小さな加点または加点がされない、堅実型のゲーム)のどちらを勧めれば、ユーザを喜ばせることができるか分かるようになる。
【００７４】
さらに、ユーザの刺激に対する心的影響の性質を把握することにより、心的影響推測システム１００は、タスクの内容（例えば、ゲームのルール）をユーザに合わせて逐次結果強調型、累積結果強調型または中間型等に調整することができる。
【００７５】
ここで、本実施形態において、逐次ＥＤＡ反応抽出手段４１０は、逐次結果の発生タイミングから一定期間（例えば５秒）以内に発生したＥＤＡ情報を抜き出てバンドパスフィルタを用いて所定周波数範囲内のＥＤＡ変動（例えば０．０３２〜１５Ｈｚ）を抽出し、抽出したＥＤＡ変動を平滑化処理して「逐次結果に対するＥＤＡ反応」としたが、これに限定されない。ＥＤＡ情報を抜き出す期間、ＥＤＡ変動の周波数範囲は適宜設定することができるし、平滑化処理を省略することもできる。さらに、ユーザに喜ばれると推測されるものを正の刺激、ユーザに不快感を与えると推測されるものを負の刺激とし、逐次ＥＤＡ反応抽出手段４１０が刺激の正負とＥＤＡ変動の正負とが一致するもののみを抽出することもできる。また、抽出したＥＤＡ変動のパラメータに基づいて、逐次ＥＤＡ反応抽出手段４１０が発生頻度や変化量の合計、変化量の絶対値の合計などを演算し、逐次結果に対するＥＤＡ反応として出力することもできる。
【００７６】
さらに、本実施形態において、逐次心拍反応抽出手段４２０は、パワースペクトラムを用いて心拍情報を一定期間毎（例えば、１分間毎）に解析したが、これに限定されない。パワースペクトラムを用いる代わりに周波数解析にウェーブレット変換等を用いることもできるし、解析期間や解析タイミングは適宜設定することができる。また、逐次心拍反応抽出手段４２０は、解析した心拍情報について、高周波数域の心拍の変動速度の変化量（例えば、０．１５Ｈｚ以上）を抽出し、変化量の逐次結果の発生タイミングが含まれる期間内における総量を「逐次結果に対する心拍反応」としたが、これに限定されない。抽出対象の周波数帯域は適宜設定することができるし、心拍反応として心拍の変動速度の変化量の総量以外を用いることもできる。
【００７７】
さらに、本実施形態において、累積ＥＤＡ反応抽出手段４３０は、ローパスフィルタを用いてＥＤＡの低周波数域の変動（０．０３２Ｈｚ以下）を抽出し、前回取得した「累積結果に対するＥＤＡ反応」に抽出したＥＤＡ変動を加算し、新たな「累積結果に対するＥＤＡ反応」としたが、これに限定されない。例えば、累積ＥＤＡ反応抽出手段４３０は、フィルタを用いることなく、全てのＥＤＡ変動を抽出し、前回取得した「累積結果に対するＥＤＡ反応」に加算することもできる。また、ユーザに喜ばれると推測されるものを正の刺激、ユーザに不快感を与えると推測されるものを負の刺激とし、累積ＥＤＡ反応抽出手段４３０が刺激の正負とＥＤＡ変動の正負とが一致するもののみを抽出することもできる。
【００７８】
さらに、本実施形態において、累積心拍反応抽出手段４４０は、パワースペクトラムを用いて心拍情報を一定期間毎（例えば、１分間毎）に解析したが、これに限定されない。パワースペクトラムを用いる代わりに周波数解析にウェーブレット変換等を用いることもできるし、解析期間や解析タイミングは適宜設定することができる。また、累積心拍反応抽出手段４４０は、解析した心拍情報から所定周波数範囲内の心拍の変動速度の変化量（例えば、０．０４〜０．１５Ｈｚ）を抽出し、前回取得した「累積結果に対する心拍反応」に抽出した心拍の変動速度の変化量を加算し、新たな「累積結果に対する心拍反応」としたが、これに限定されない。全ての心拍の変動速度の変化量を抽出し、前回取得した「累積結果に対する心拍反応」に加算することもできる。
【００７９】
さらに、本実施形態において、逐次結果心的影響推測手段５１０は、「逐次結果に対するＥＤＡ反応」のタスク開始以降の総和と、「逐次結果に対する心拍反応」のタスク開始以降の総和と、をそれぞれ算出し、算出結果の重み付け和を「逐次結果による心的影響の大きさ」としたが、これに限定されない。例えば、逐次結果心的影響推測手段５１０は、２つの総和の「重み付け和」を算出する代わりに２つの総和の「積」を算出することもできるし、ＥＤＡ反応および心拍反応の「総和」を用いる代わりに、ＥＤＡ反応および心拍反応の「絶対値の総和」を用いることもできる。
【００８０】
さらに、本実施形態において、累積結果心的影響推測手段５２０は、「累積結果に対するＥＤＡ反応」のタスク開始以降の大きさと、「累積結果に対する心拍反応」のタスク開始以降の大きさと、をそれぞれ算出し、算出結果の重み付け和を「累積結果による心的影響の大きさ」としたが、これに限定されない。例えば、累積結果心的影響推測手段５２０は、「重み付け和」を用いる代わりに「積」を用いることもできるし、ＥＤＡ反応および心拍反応の「大きさ」を用いる代わりに、ＥＤＡ反応および心拍反応の「大きさの絶対値」を用いることもできる。
【００８１】
また、本実施形態では、報酬付きのトランプゲームに図３に示した心的影響推測システム１００を適用したが、図４に示した心的影響推測システム１００Ｂや、図５に示した心的影響推測システム１００Ｃを適用することもできる。報酬付きのトランプゲームに図４および図５に示した心的影響推測システム１００Ｂ、１００Ｃを適用した場合も、プレーヤーが受けた刺激を逐次的な要素と累積的な要素とに分離し、それぞれに対応するプレーヤーの生体情報を分析することによって、プレーヤーの逐次結果に対する心的影響と累積結果に対する心的影響とを的確に把握することができる。
【００８２】
さらに、上述の実施形態では、プレーヤーが受けた刺激を逐次的な要素と累積的な要素とに分離し、それぞれに対応するプレーヤーの生体情報を分析することによって、プレーヤーの逐次結果に対する心的影響と累積結果に対する心的影響とを把握したが、これに限定されない。プレーヤーが受けた刺激を、異なる視点によって複数に分類し、それぞれに対応するプレーヤーの生体情報を分析することによって、異なる視点ごとにプレーヤーの心的影響を把握することもできる。
【００８３】
本願発明は上記実施形態に限定されるものではなく、この発明の要旨を逸脱しない範囲の設計の変更等があってもこの発明に含まれる。また、上記の実施形態の一部又は全部は、以下の付記のようにも記載されうるが、以下には限られない。
【００８４】
（付記１）逐次刺激の発生の有無を監視し、逐次刺激が発生した時に第１の報知を行う逐次刺激監視手段と、累積刺激の発生の有無を監視し、累積刺激が発生した時に第２の報知を行う累積刺激監視手段と、ユーザの生体情報を取得する生体情報取得手段と、前記第１の報知を受信した時に、前記生体情報から逐次反応量を抽出して出力する逐次反応抽出手段と、前記第２の報知を受信した時に、前記生体情報から累積反応量を抽出して出力する累積反応抽出手段と、前記逐次反応量に基づいて、逐次刺激に対する心的影響を推測する逐次影響推測手段と、前記累積反応量に基づいて、累積刺激に対する心的影響を推測する累積影響推測手段と、前記逐次刺激に対する心的影響および前記累積刺激に対する心的影響に基づいてユーザの心的影響を推定する心的影響推定手段と、を備える心的影響推測システム。
【００８５】
（付記２）前記逐次刺激監視手段は、第１の報知として前記逐次刺激の発生時刻Ｔ１を出力し、前記累積刺激監視手段は、第２の報知として前記累積刺激の発生時刻Ｔ２を出力し、前記逐次反応抽出手段は、前記発生時刻Ｔ１を用いて前記生体情報から逐次反応量を抽出し、前記累積反応抽出手段は、前記発生時刻Ｔ２を用いて前記生体情報から累積反応量を抽出する、付記１記載の心的影響推測システム。
【００８６】
（付記３）前記逐次刺激監視手段は、第１の報知として発生した逐次刺激の発生内容Ｓ１を出力し、前記累積刺激監視手段は、第２の報知として発生した累積刺激の発生内容Ｓ２を出力し、前記逐次影響推測手段は、前記逐次反応量を前記発生内容Ｓ１を用いて重み付けすることによって逐次刺激に対する心的影響を推測し、前記累積影響推測手段は、前記累積反応量を前記発生内容Ｓ２を用いて重み付けすることによって累積刺激に対する心的影響を推測する、付記１または２記載の心的影響推測システム。
【００８７】
（付記４）前記逐次刺激に対する心的影響および前記累積刺激に対する心的影響を提示する提示手段と、前記逐次刺激に対する心的影響および前記累積刺激に対する心的影響に対応するサービスを提供するサービス提供手段と、をさらに備える、付記１乃至３のいずれか１項記載の心的影響推測システム。
【００８８】
（付記５）前記生体情報は皮膚表面電気活動（ＥＤＡ）情報であり、前記逐次刺激監視手段は、第１の報知として前記逐次刺激の発生時刻Ｔ１を出力し、前記累積刺激監視手段は、第２の報知として前記累積刺激の発生時刻Ｔ２を出力し、前記逐次反応抽出手段は、前記発生時刻Ｔ１から第１期間内のＥＤＡ情報からＥＤＡの変動を抽出して前記逐次反応量として出力し、前記累積反応抽出手段は、前記出力されたＥＤＡ情報からＥＤＡの変動を抽出し、前回出力した累積反応量に加算して新たな累積反応量として出力し、前記逐次影響推測手段は、前記ＥＤＡの変動を平滑化処理し、平滑化処理したＥＤＡの変動に基づいて前記逐次刺激に対する心的影響を推測し、前記累積影響推測手段は、前記ＥＤＡの変動の前記監視開始時からの累積値に基づいて前記累積刺激に対する心的影響を推測する、付記１乃至４のいずれか１項記載の心的影響推測システム。
【００８９】
（付記６）前記逐次反応抽出手段は、前記発生時刻Ｔ１から第１期間内のＥＤＡ情報からバンドパスフィルタを用いて所定周波数範囲内のＥＤＡ変動を抽出して前記逐次反応量として出力し、前記累積反応抽出手段は、前記ＥＤＡ情報からローパスフィルタを用いて所定周波数以下のＥＤＡ変動を抽出し、前回出力した累積反応量に加算して新たな累積反応量として出力する付記５記載の心的影響推測システム。
【００９０】
（付記７）前記逐次刺激監視手段はさらに、第１の報知として発生した逐次刺激の発生内容Ｓ１を出力し、前記累積刺激監視手段はさらに、第２の報知として発生した累積刺激の発生内容Ｓ２を出力し、前記逐次反応抽出手段は、前記所定周波数範囲内のＥＤＡ変動からＥＤＡの変動の正負が前記出力された発生内容Ｓ１の正負と一致するＥＤＡ変動を抽出して前記逐次反応量として出力し、前記累積反応抽出手段は、前記所定周波数以下のＥＤＡ変動からＥＤＡの変動の正負が前記出力された発生内容Ｓ２の正負と一致するＥＤＡ変動を抽出して前記累積反応量として出力する、付記６記載の心的影響推測システム。
【００９１】
（付記８）前記生体情報は心拍数情報であり、前記逐次刺激監視手段は、第１の報知として前記逐次刺激の発生時刻Ｔ１を出力し、前記累積刺激監視手段は、第２の報知として前記累積刺激の発生時刻Ｔ２を出力し、前記逐次反応抽出手段は、前記発生時刻Ｔ１を含む第２期間内の心拍数情報から心拍の変動速度の変化量を抽出して前記逐次反応量として出力し、前記累積反応抽出手段は、前記発生時刻Ｔ２を含む第３期間内の心拍数情報から心拍の変動速度の変化量を抽出し、前回出力した累積反応量に加算して新たな累積反応量として出力し、前記逐次影響推測手段は、前記逐次反応量の前記第２期間内の合計値に基づいて前記逐次刺激に対する心的影響を推測し、前記累積影響推測手段は、前記累積反応量の前記第３期間内の合計値に基づいて前記累積刺激に対する心的影響を推測する、付記１乃至４のいずれか１項記載の心的影響推測システム。
【００９２】
（付記９）前記逐次反応抽出手段は、前記発生時刻Ｔ１を含む第２期間内の心拍数情報からパワースペクトラムまたはウェーブレット変換手法を用いて所定周波数以上の心拍の変動速度の変化量を抽出して前記逐次反応量として出力し、前記累積反応抽出手段は、前記発生時刻Ｔ２を含む第３期間内の心拍数情報からパワースペクトラムまたはウェーブレット変換手法を用いて所定周波数範囲内の心拍の変動速度の変化量を抽出し、前回出力した累積反応量に加算して新たな累積反応量として出力する、付記８記載の心的影響推測システム。
【００９３】
（付記１０）前記生体情報はＥＤＡ情報および心拍数情報であり、前記逐次刺激監視手段は、第１の報知として前記逐次刺激の発生時刻Ｔ１を出力し、前記累積刺激監視手段は、第２の報知として前記累積刺激の発生時刻Ｔ２を出力し、前記逐次反応抽出手段は、前記発生時刻Ｔ１から第１期間内のＥＤＡ情報からＥＤＡの変動を抽出してＥＤＡ逐次反応量として出力するＥＤＡ逐次反応抽出手段および前記発生時刻Ｔ１を含む第２期間内の心拍数情報から心拍の変動速度の変化量を抽出して心拍数逐次反応量として出力する心拍数逐次反応抽出手段を備え、前記累積反応抽出手段は、前記出力されたＥＤＡ情報からＥＤＡの変動を抽出してＥＤＡ累積反応量として出力するＥＤＡ累積反応抽出手段および前記発生時刻Ｔ２を含む第３期間内の心拍数情報から心拍の変動速度の変化量を抽出して心拍数累積反応量として出力する心拍数累積反応抽出手段を備え、前記逐次影響推測手段は、前記ＥＤＡの変動を平滑化処理し、平滑化処理したＥＤＡの変動に基づいて逐次刺激に対するＥＤＡ心的影響を推測するＥＤＡ逐次影響推測手段および前記逐次反応量の前記第２期間内の合計値に基づいて逐次刺激に対する心拍数心的影響を推測する心拍数逐次影響推測手段を備え、該逐次刺激に対するＥＤＡ心的影響および逐次刺激に対する心拍数心的影響に基づいて前記逐次刺激に対する心的影響を推測し、前記累積影響推測手段は、前記ＥＤＡの変動の前記監視開始時からの累積値に基づいて累積刺激に対するＥＤＡ心的影響を推測するＥＤＡ累積影響推測手段および前記累積反応量の前記第３期間内の合計値に基づいて累積刺激に対する心拍数心的影響を推測する心拍数累積影響推測手段を備え、該累積刺激に対するＥＤＡ心的影響および累積刺激に対する心拍数心的影響に基づいて前記累積刺激に対する心的影響を推測する、付記１乃至４のいずれか１項記載の心的影響推測システム。
【００９４】
（付記１１）逐次刺激の発生の有無を監視し、逐次刺激が発生した時に第１の報知を行い、累積刺激の発生の有無を監視し、累積刺激が発生した時に第２の報知を行い、ユーザの生体情報を取得して出力し、前記第１の報知を受信した時に、前記生体情報から逐次反応量を抽出して出力し、前記第２の報知を受信した時に、前記生体情報から累積反応量を抽出して出力し、前記逐次反応量に基づいて、逐次刺激に対する心的影響を推測し、前記累積反応量に基づいて、累積刺激に対する心的影響を推測し、前記逐次刺激に対する心的影響および前記累積刺激に対する心的影響に基づいてユーザの心的影響を推定する、心的影響推測方法。
【００９５】
（付記１２）ユーザの生体情報を取得する生体情報取得手段を備えた装置のコンピュータが実行可能な心的影響推測プログラムであって、逐次刺激の発生の有無を監視し、逐次刺激が発生した時に第１の報知を行う機能、累積刺激の発生の有無を監視し、累積刺激が発生した時に第２の報知を行う機能、前記第１の報知を受信した時に、前記生体情報から逐次反応量を抽出して出力する機能、前記第２の報知を受信した時に、前記生体情報から累積反応量を抽出して出力する機能、前記逐次反応量に基づいて、逐次刺激に対する心的影響を推測する機能、前記累積反応量に基づいて、累積刺激に対する心的影響を推測する機能、前記逐次刺激に対する心的影響および前記累積刺激に対する心的影響に基づいてユーザの心的影響を推定する機能、を前記コンピュータに実行させるための心的影響推測プログラム。
【００９６】
（付記１３）ユーザの生体情報を取得する生体情報取得手段を備えた装置のコンピュータに、逐次刺激の発生の有無を監視し、逐次刺激が発生した時に第１の報知を行う手順、累積刺激の発生の有無を監視し、累積刺激が発生した時に第２の報知を行う手順、前記第１の報知を受信した時に、前記生体情報から逐次反応量を抽出して出力する手順、前記第２の報知を受信した時に、前記生体情報から累積反応量を抽出して出力する手順、前記逐次反応量に基づいて、逐次刺激に対する心的影響を推測する手順、前記累積反応量に基づいて、累積刺激に対する心的影響を推測する手順、前記逐次刺激に対する心的影響および前記累積刺激に対する心的影響に基づいてユーザの心的影響を推定する手順、を実行させるためのプログラムを記録した、前記コンピュータが読み取り可能な記録媒体。
【符号の説明】
【００９７】
１０    心的影響推測システム
２０    逐次刺激監視手段
３０    累積刺激監視手段
４０    生体情報取得手段
５０    逐次反応抽出手段
６０    累積反応抽出手段
７０    逐次影響推測手段
８０    累積影響推測手段
９０    心的影響推定手段
１００、１００Ｂ、１００Ｃ    心的影響推測システム
２１０、２１０Ｂ、２１０Ｃ    逐次結果取得手段
２２０、２２０Ｂ、２２０Ｃ    累積結果取得手段
３１０、３１０Ｂ    ＥＤＡセンサ
３２０、３２０Ｃ    心拍センサ
４１０、４１０Ｂ    逐次ＥＤＡ反応抽出手段
４２０、４２０Ｃ    逐次心拍反応抽出手段
４３０、４３０Ｂ    累積ＥＤＡ反応抽出手段
４４０、４４０Ｃ    累積心拍反応抽出手段
５１０、５１０Ｂ、５１０Ｃ    逐次結果心的影響推測手段
５２０、５２０Ｂ、５２０Ｃ    累積結果心的影響推測手段
６１０、６１０Ｂ、６１０Ｃ    心的影響出力手段
【図１】
2014042722.tif 000003
【図２】
2014042722.tif 000004
【図３】
2014042722.tif 000005
【図４】
2014042722.tif 000006
【図５】
2014042722.tif 000007